(57)【要約】      （修正有）【課題】太陽光発電モジュールが取付けられたことによる建築物に掛る荷重をより軽減することが可能な屋根構造及びそれに用いられる架台を提供する。【解決手段】屋根本体２と、載置面４１ｅを有する架台４と、載置部に載置された太陽光発電モジュール３と、を備える屋根構造において、載置部を、間欠的に設けられた複数の架台本体４１を有するものとし、架台本体を、太陽光発電モジュールの辺部３ａが載置される基部４１ａと、屋根本体に接着剤によって接着される鍔部４１ｂとを有するものとし、鍔部と屋根本体との間には、接着剤によって、防水層５が形成されているものとする。【選択図】図３
0003221072.tif 000002
【実用新案登録請求の範囲】
【請求項１】
屋根本体と、
載置部を有する架台と、
該載置部に載置された太陽光発電モジュールと、を備え、
該載置部は、間欠的に設けられた複数の架台本体を有しており、
該架台本体は、該太陽光発電モジュールの辺部が載置される基部と、該屋根本体に接着剤によって接着される鍔部とを有しており、
該鍔部と該屋根本体との間には、該接着剤によって、防水層が形成されていることを特徴とする屋根構造。
【請求項２】
前記太陽光発電モジュールは、固定具によって、前記基部に固定されていることを特徴とする請求項１に記載の屋根構造。
【請求項３】
請求項１又は２に記載の屋根構造に用いられることを特徴とする架台。
【考案の詳細な説明】
【技術分野】
【０００１】
本考案は、屋根構造及びそれに用いられる架台に関し、より詳細には、太陽光発電モジュールが取付けられた屋根構造及びそれに用いられる架台に関する。
【０００２】
従来、太陽光発電モジュール（以下、モジュールという）がある。この様なモジュールは、建物の屋根等に、複数のモジュールが並列され、設置される。モジュールを屋根等に
設置する際には、各モジュールの長辺を支持する様に設けられた架台が用いて、屋根等の固定される（特許文献１を参照）
【先行技術文献】
【特許文献】
【０００３】
【特許文献１】国際公開第２０１５／００８５７０号
【考案の概要】
【考案が解決しようとする課題】
【０００４】
特に、建造物の屋根等に設置されるモジュールは、建造物の耐荷重等の制限から可能な限り、軽量であることが求められる。一方、モジュールは、屋外に設置される観点から、風雨等に耐え得るだけの耐久性を有している必要があり、金属製のフレームが用いてその剛性が高められている。
【０００５】
前記フレームは、アルミニウム合金等の比較的軽量な金属材料で形成されているものの、複数のモジュールが設置されることが通常であることに照らせば、該フレームだけでも、相当な重量となってしまう。
【０００６】
従来の架台は、モジュールの長辺を全体に亘って支持するものであるので、架台の重量も相当の重量となってしまう。そのため、屋根等を通じて建築物にはそれ相応の荷重が掛っていることとなる。
【０００７】
そこで、本考案は、太陽光発電モジュールが取付けたことによる建築物に掛る荷重をより軽減することが可能な屋根構造及びそれに用いられる架台を提供することを目的とする。
【課題を解決するための手段】
【０００８】
本考案は、屋根本体と、載置部を有する架台と、該載置部に載置された太陽光発電モジュールと、を備え、該載置部は、間欠的に設けられた複数の架台本体を有しており、該架台本体は、該太陽光発電モジュールの辺部が載置される基部と、該屋根本体に接着剤によって接着される鍔部とを有しており、該鍔部と該屋根本体との間には、該接着剤によって、防水層が形成されていることを特徴とする屋根構造である。
【０００９】
又、本考案は、前記屋根構造に用いられることを特徴とする架台である。尚、本考案は、前記太陽光発電モジュールを、固定具によって、前記基部に固定することが可能である。
【考案の効果】
【００１０】
本考案は、間欠的に設けられた複数の架台本体に太陽光発電モジュールが載置されるものとしたため、太陽光発電モジュールの架台が軽量化されており、それに起因して、屋根構造の重量も軽減することが可能であり、太陽光発電モジュールが取付けたことによる建築物に掛る荷重をより軽減することが可能となる。
【図面の簡単な説明】
【００１１】
【図１】本考案の実施形態の平面図である。
【図２】図１のII−II拡大矢視図である。
【図３】図１のIII−III拡大矢視図である。
【図４】本考案の実施形態における架台本体の拡大斜視図である。
【考案を実施するための形態】
【００１２】
本考案の実施形態について、図１乃至図４に基づき説明する。屋根構造１は、建築物（図示せず）の屋根を構成する屋根本体２と、太陽光発電モジュール３（以下、モジュール３ともいう）と、モジュール３を支持する架台４と、を備えている。屋根本体２は、本実施形態においては、略平板状に形成されているが、略波状等の他の形状も適宜選択可能である。又、モジュール３は、公知のものを適宜採用可能であり、本実施形態においては、略矩形をなしている。
【００１３】
架台４は、載置部４０を有している。載置部４０は、モジュール３が、載置可能に設けられており、複数の架台本体４１を有している。架台本体４１は、屋根本体２上に間欠的に設けられており、本実施形態においては、モジュール３の長辺部３ａ一辺当たり２つの架台本体４１で支持する（即ち、各モジュール３は、延４つの架台本体４１に支持されていることとなる）様に配設されている。又、架台本体４１は、長辺部３ａが載置可能に設けられた基部４１ａと基部４１ａの下縁より外方へと延在する様に設けられた鍔部４１ｂとを有している。
【００１４】
基部４１ａの上面４１ｃ側には、取付部４１ｄが設けられている。取付部４１ｄには、モジュール３の辺部（本実施形態においては長辺部３ａ）が載置可能に設けられた載置面４１ｅ及び溝部が設けられている。該溝部は、固定具の一例であるカバー体４２が取付可能となっており、モジュール３は、載置面４１ｅとカバー体４２によって、長辺部３ａが挟持されることで、載置部４０（基部４１ａ）に固定される。
【００１５】
本実施形態において、取付部４１ｄには、２つの載置面４１ｅを有しており、この２つの載置面４１ｅを隔てる様に溝部の一例であるレール溝４１ｆが形成されている。つまり、架台本体４１は、隣接する２つのモジュール３の対向する長辺部３ａを同時に支持・固定可能に設けられていることとなる。それに合わせて、カバー体４２は、２つの挟持部４２ａを有している。
【００１６】
鍔部４１ｂは、屋根本体２の形状に合わせて成形される。本実施形態においては、屋根本体２が、略平板状に形成されているため、鍔部４１ｂもまた略平板状に形成されている。鍔部４１ｂは、屋根本体２に接着剤によって、接着される様になっており、それによって、架台２は屋根本体２に固定されることとなる。
【００１７】
架台本体４１と屋根本体２との間に雨水等が溜まると、腐食等の要因となるため防水処理が不可欠である。そのため、鍔部４１ｂを屋根本体２に接着する接着剤は、防水性を備えた接着剤が用いられ、それによって、鍔部４１ｂと屋根本体２との間に防水層５が形成される様になっている。該接着剤としては、エポキシ系接着剤、例えば、「株式会社バリュー・クリエイション製  ＭＰ−３０００  弾性エポキシ系接着剤」、を採用することが可能である。尚、防水層５は、架台本体４１が配設された部分のみならず、その周囲に広げて形成することも可能である。
【００１８】
本実施形態においては、架台本体４１は間欠的に設け、モジュール３の長辺部３ａを部分的に支持する様にしたので、モジュール３の長辺部３ａの略全体に亘って支持する場合と比較して架台本体４１が短くなっている分、屋根構造１を軽量化することが可能である。そのため、前記建築物に掛る荷重を低減することができる。
【００１９】
又、従来は、屋根本体全体に亘って防水処理を施していたが、本実施形態においては、架台本体４１が配設された部分及び／又はその周囲にのみ防水層５を設ける様にしたので、その分、屋根本体２が軽量化されるため、前記建築物に掛る荷重を更に低減することができる。
【００２０】
本考案を、上記実施形態に基づき説明したが、本考案は上記実施形態に限定されるものではなく、考案の要旨を変更しない範囲で適宜変更可能である。
【符号の説明】
【００２１】
１      屋根構造        ２      屋根本体        ３      太陽光発電モジュール
３ａ    長辺部          ４      架台            ４０    載置部
４１    架台本体        ４１ａ  基部            ４１ｂ  鍔部
４１ｃ  上面            ４１ｄ  取付部          ４１ｅ  載置面
４１ｆ  レール溝        ４２    カバー体        ４２ａ  挟持部
５      防水層
【図１】
0003221072.tif 000003
【図２】
0003221072.tif 000004
【図３】
0003221072.tif 000005
【図４】
0003221072.tif 000006